(57)【要約】 【課題】部品点数を少なくし、出来るだけ同一の材料で製作可能にして製作を容易にし、かつ軽量化して安価で丈夫な携帯用小物ケースを実現させる。【解決手段】携帯用小物ケースにおいて、蓋側開口部周辺上であって、２つの蝶番５の間の位置に開蓋用突起部１０を設け、この開蓋用突起部１０を含めてケース本体１と蓋２を樹脂で構成し、ケース本体１に蓋２を被せてケース本体側ロック部３と蓋側ロック部４を嵌合させた際に、開蓋用突起部１０がケース本体１の開口部周辺上に押し付けられた状態でロック可能にし、ケース本体側ロック部３と蓋側ロック部４のロック状態を解除した際に、開蓋用突起部１０の前記押し付けられていた力が解除されることで、蝶番５の心棒を回転中心として蓋２が上方へ開きその状態を保持する蓋の開放機構を備えた。【選択図】図２
0003101595.tif 000002
【実用新案登録請求の範囲】
【請求項１】
一方側に開口部を有し、その開口部から小物の出し入れが可能なケース本体と、前記ケース本体の開口部に被せる大きさの開口部を有する蓋を備え、前記ケース本体側開口部の外側と蓋側開口部の対応する外側を２つの蝶番により離れた位置で開閉可能に取り付けると共に、
前記ケース本体及び蓋の開口部に隣接する外側表面上で、前記蝶番を取り付けた側と反対側の位置であって、ケース本体側にはケース本体側ロック部を設け、蓋側には蓋側ロック部を設け、ケース本体に蓋を被せた状態で、前記ケース本体側ロック部と蓋側ロック部とを嵌合させることで、ケース本体に被せた蓋をロックして携帯することが可能な携帯用小物ケースにおいて、
前記蓋側開口部周辺上であって、前記２つの蝶番の間の位置に開蓋用突起部を設け、この開蓋用突起部を含めて前記ケース本体と蓋を樹脂で構成し、
ケース本体に蓋を被せてケース本体側ロック部と蓋側ロック部を嵌合させた際に、前記開蓋用突起部がケース本体の開口部周辺上に押し付けられた状態でロックができるようにし、ケース本体側ロック部と蓋側ロック部のロック状態を解除した際に、開蓋用突起部の前記押し付けられていた力が解除されることで、蝶番の心棒を回転中心として蓋が上方へ開きその状態を保持する蓋の開放機構を備えていることを特徴とする携帯用小物ケース。    
【請求項２】
一方側に開口部を有し、その開口部から小物の出し入れが可能な本体ケースと、前記本体ケースの開口部に被せる大きさの開口部を有する蓋を備え、前記ケース本体側開口部の外側と蓋側開口部の対応する外側を２つの蝶番により離れた位置で開閉可能に取り付けると共に、
前記ケース本体及び蓋の開口部に隣接する外側表面上で、前記蝶番を取り付けた側と反対側の位置であって、ケース本体側にはケース本体側ロック部を設け、蓋側には蓋側ロック部を設け、ケース本体に蓋を被せた状態で、前記ケース本体側ロック部と蓋側ロック部とを嵌合させることで、ケース本体に被せた蓋をロックして携帯することが可能な携帯用小物ケースにおいて、
前記ケース本体側開口部周辺上であって、前記２つの蝶番の間の位置に開蓋用突起部を設け、この開蓋用突起部を含めて前記ケース本体と蓋を樹脂で構成し、
ケース本体に蓋を被せてケース本体側ロック部と蓋側ロック部を嵌合させた際に、前記開蓋用突起部が蓋の開口部周辺上に押し付けられた状態でロックができるようにし、ケース本体側ロック部と蓋側ロック部のロック状態を解除した際に、開蓋用突起部の前記押し付けられていた力が解除されることで、蝶番の心棒を回転中心として蓋が上方へ開きその状態を保持する蓋の開放機構を備えていることを特徴とする携帯用小物ケース。
【請求項３】
前記蝶番の結合用の心棒を除く蝶番本体、ケース本体側ロック部、蓋側ロック部、開蓋用突起部を含めて前記ケース本体と蓋を樹脂で構成していることを特徴とする請求項１又は２に記載の携帯用小物ケース。
【考案の詳細な説明】
【技術分野】
【０００１】
本考案は、各種携帯用小物（薬、筆記具、文房具、旅行用歯磨きセット、旅行用化粧品／化粧道具等）を入れて携帯するための携帯用小物ケース、例えば、薬入れ、筆記具入れ、文房具入れ、旅行用歯磨きセット入れ、旅行用化粧品／化粧道具入れ等に利用可能な携帯用小物ケースに関する。
【背景技術】
【０００２】
図６は従来例の説明図（その１）であり、Ａ図は表面図、Ｂ図は裏面図である。図７は従来例の説明図（その２）であり、蓋を開けた状態の斜視図を示している。図８は従来例の説明図（その３）であり、Ａ図はケース本体と蓋のロック機構の説明図、Ｂ図は蓋側ロック部（裏側）の平面図、Ｃ図はケース本体と蓋のロック部の断面図である。
【０００３】
従来、薬入れ等の小物を入れて携帯するための携帯用小物ケースとして図６に示したようなケースが知られていた。この携帯用小物ケースは全体として角型で箱形状のケースであり、小物を入れるケース本体１と、このケース本体１に被せる蓋２を備えている。そして、ケース本体１と蓋２とは２箇所で蝶番５により開閉可能に固着されている（図６のＢ図参照）と共に、蓋２は、ケース本体１に被せた状態でケース本体側ロック部３と蓋側ロック部４からなるロック機構によりロックされるように構成されている。
【０００４】
また、図７に示したように、ケース本体１と蓋２の結合部側（蝶番５を取り付けた側）にはコイルスプリング６が設けてあり、このコイルスプリング６により、前記ロック機構のロック状態が解除された時に自動的に蓋２を開く方向に力が働くように構成してある。      
【０００５】
このため、ケース本体１に蓋２を被せる時にコイルスプリング６を圧縮した状態（コイルスプリング６に復帰力が蓄積された状態）で蓋２を閉めロック機構をロック状態にしておき、ケース本体側ロック部３を押してロック状態を解除すると、コイルスプリング６の蓄積された復帰力により、蓋２は自動的に上方へ開き図７の状態になる。
【０００６】
この場合、前記ケース本体側ロック部３と蓋側ロック部４は図８のように構成されている。すなわち、ケース本体１の開口部側に面して凸条部９が設けてあり、この凸条部９の隣接位置、すなわち、ケース本体１の開口部の反対側位置にケース本体側嵌合凹部７を形成してある。
【０００７】
そして、蓋２をケース本体１に被せ、該蓋２を外部から押すと、蓋側ロック部４の裏側にある蓋側嵌合凸部８がケース本体側嵌合凹部７に嵌合し、ケース本体１と蓋２とがロック状態となる。この状態でコイルスプリング６は圧縮され、復帰力が蓄積された状態で収納される。この場合、ケース本体１内には薬（例えば、小分けしてシート等で密封された薬）等の小物を入れ携帯することが可能になる。
【０００８】
次に、ケースから小物を取り出す場合には、ケース本体側ロック部３の表側を指等により押すと、蓋側ロック部４の裏側の蓋側嵌合凸部８と、ケース本体側嵌合凹部７との嵌合状態が解除される。この時、コイルスプリング６の蓄積された復帰力により蓋２は自動的に上方へ開く。このようにして小物をケースに入れて携帯することが可能になる。
【考案の開示】
【考案が解決しようとする課題】
【０００９】
(1) ：前記従来の携帯用小物ケースでは、コイルスプリング６を使用してケース本体１に対し蓋２が自動的に開くように構成している。この場合、コイルスプリング６の蓄積された復帰力を利用して蓋を開くようにしているので、コイルスプリングが必ず必要であり、部品点数が多くなり、製作工数も多くなりコストが嵩む。
【００１０】
(2) ：前記従来のコイルスプリングは金属製であり、製作に時間やコストがかかり、その分、携帯用小物ケースのコストが高くなる。また、ケース本体１や蓋２を樹脂で製作した場合、コイルスプリングは金属製であるから、ケース本体１や蓋２とは別に製作した部品を使用しなければならずコストが嵩む。
【００１１】
(3) ：ケース本体１や蓋２を樹脂で製作した場合、コイルスプリングは金属製であって、携帯用小物ケースにコイルスプリングを組み込む際の製作の手間が多くかかり、製品のコストダウンが難しい。また、コイルスプリングを組み込むと、その分、重量も多くなり軽量化の妨げになっていた。
【００１２】
本考案は前記従来の課題を解決し、部品点数を少なくし、出来るだけ同一の樹脂材料で製作可能にして製作を容易にし、かつ軽量化して安価で丈夫な携帯用小物ケースを実現させることを目的とする。
【課題を解決するための手段】
【００１３】
本考案は前記の目的を達成するため、次のように構成した。
【００１４】
(1) ：一方側に開口部を有し、その開口部から小物の出し入れが可能なケース本体と、前記ケース本体の開口部に被せる大きさの開口部を有する蓋を備え、前記ケース本体側開口部の外側と蓋側開口部の対応する外側を２つの蝶番により離れた位置で開閉可能に取り付けると共に、前記ケース本体及び蓋の開口部に隣接する外側表面上で、前記蝶番を取り付けた側と反対側の位置であって、ケース本体側にはケース本体側ロック部を設け、蓋側には蓋側ロック部を設け、ケース本体に蓋を被せた状態で、前記ケース本体側ロック部と蓋側ロック部とを嵌合させることで、ケース本体に被せた蓋をロックして携帯することが可能な携帯用小物ケースにおいて、前記蓋側開口部周辺上であって、前記２つの蝶番の間の位置に開蓋用突起部を設け、この開蓋用突起部を含めて前記ケース本体と蓋を樹脂（例えば、ＡＢＳ樹脂）で構成し、ケース本体に蓋を被せてケース本体側ロック部と蓋側ロック部を嵌合させた際に、前記開蓋用突起部がケース本体の開口部周辺上に押し付けられた状態でロックができるようにし、ケース本体側ロック部と蓋側ロック部のロック状態を解除した際に、開蓋用突起部の前記押し付けられていた力が解除されることで、蝶番の心棒を回転中心として蓋が上方へ開きその状態を保持する蓋の開放機構を備えていることを特徴とする。
【００１５】
(2) ：一方側に開口部を有し、その開口部から小物の出し入れが可能なケース本体と、前記ケース本体の開口部に被せる大きさの開口部を有する蓋を備え、前記ケース本体側開口部の外側と蓋側開口部の対応する外側を２つの蝶番により離れた位置で開閉可能に取り付けると共に、前記ケース本体及び蓋の開口部に隣接する外側表面上で、前記蝶番を取り付けた側と反対側の位置であって、ケース本体側にはケース本体側ロック部を設け、蓋側には蓋側ロック部を設け、ケース本体に蓋を被せた状態で、前記ケース本体側ロック部と蓋側ロック部とを嵌合させることで、ケース本体に被せた蓋をロックして携帯することが可能な携帯用小物ケースにおいて、前記ケース本体側開口部周辺上であって、前記２つの蝶番の間の位置に開蓋用突起部を設け、この開蓋用突起部を含めて前記ケース本体と蓋を樹脂で構成し、ケース本体に蓋を被せてケース本体側ロック部と蓋側ロック部を嵌合させた際に、前記開蓋用突起部が蓋の開口部周辺上に押し付けられた状態でロックができるようにし、ケース本体側ロック部と蓋側ロック部のロック状態を解除した際に、開蓋用突起部の前記押し付けられていた力が解除されることで、蝶番の心棒を回転中心として蓋が上方へ開きその状態を保持する蓋の開放機構を備えていることを特徴とする。
【００１６】
(3) ：前記(1) 又は(2) の携帯用小物ケースにおいて、前記蝶番の回転用の心棒を除く蝶番本体、ケース本体側ロック部、蓋側ロック部、開蓋用突起部を含めて前記ケース本体と蓋を樹脂（例えば、ＡＢＳ樹脂）で構成していることを特徴とする。
【００１７】
（作用）
前記構成の作用は次の通りである。
【００１８】
ケース本体に被せる蓋は、ケース本体に対し２つの蝶番により開閉自在に取り付けられている。そして、蓋側開口部周辺上、又はケース本体側開口部周辺上であって、前記２つの蝶番の間の位置に開蓋用突起部が設けてある。そのため、ケース本体に蓋を被せてケース本体側ロック部と蓋側ロック部を嵌合させた際に、開蓋用突起部がケース本体側開口部周辺上、又は蓋側開口部周辺上に押し付けられた状態でロックができるようにしてある。      
【００１９】
また、ケース本体側ロック部と蓋側ロック部のロック状態を解除した際に、蓋の開放機構により、開蓋用突起部の前記押し付けられていた力が解除されることで、蝶番の心棒を回転中心として蓋が上方へ開きその状態を保持する。
【考案の効果】
【００２０】
(1) ：前記のようにすれば、部品点数を少なくし、出来るだけ同一の材料で製作可能にして製作を容易にし、かつ軽量化して安価で丈夫な携帯用小物ケースを実現させることが可能になる。
【００２１】
(2) ：開蓋用として従来使用されていたコイルスプリングの使用を止め、開蓋用突起部を含め、ケース本体と蓋を樹脂により構成している。従って、開蓋用突起部を含めてケース本体と蓋を同一の樹脂材料により製作可能となる。そのため、部品点数や製作工数が少なくなり低コスト化が実現可能である。
【考案を実施するための最良の形態】
【００２２】
§１：携帯用小物ケースの説明
(1) ：外観の説明
図１は携帯用小物ケースの説明図であり、Ａ図は表側の斜視図、Ｂ図は裏側の斜視図である。図１に示した例は、薬等の小物を入れて携帯するための携帯用小物ケースの例である。
【００２３】
この携帯用小物ケースは、ケース本体１と、このケース本体１に被せる蓋２を備えている。そして、ケース本体１とケース本体１に被せる蓋２とは２つの蝶番５により離れた位置で開閉可能に取り付けられている（図１のＢ図参照）。また、蓋２は、ケース本体１に被せた状態でケース本体側ロック部３と蓋側ロック部４からなるロック機構によりロックされるように構成されている（図１のＡ図参照）。
【００２４】
(2) ：蓋の開閉時の説明
図２は蓋を開けた状態を示す図である。前記携帯用小物ケースは、一方側に開口部を有し、その開口部から小物の出し入れが可能なケース本体１と、ケース本体１の開口部に被せる大きさの開口部を有する蓋２を備え、ケース本体１側開口部の外側と蓋２側開口部の対応する外側を２つの蝶番５により離れた位置で開閉可能に取り付けてある。
【００２５】
また、ケース本体１及び蓋２の開口部に隣接する外側表面上で、蝶番５を取り付けた側と反対側の位置であって、ケース本体１側にはケース本体側ロック部３を設け、蓋２側には蓋側ロック部４を設け、ケース本体１に蓋２を被せた状態で、ケース本体側ロック部３と蓋側ロック部４とを嵌合させることで、ケース本体１に被せた蓋２をロックして携帯することができるように構成されている。
【００２６】
また、蓋側開口部周辺上であって、２つの蝶番５の間の位置に開蓋用突起部１０を設け、この開蓋用突起部１０を含めてケース本体１と蓋２を樹脂（例えば、ＡＢＳ樹脂）で構成し、ケース本体１に蓋２を被せてケース本体側ロック部３と蓋側ロック部４を嵌合させた際に、開蓋用突起部１０がケース本体１の開口部周辺上に押し付けられた状態でロックができるようにしてある。
【００２７】
また、図示矢印Ｐ方向に押すと、ケース本体側ロック部３と蓋側ロック部４のロック状態が解除される。この時、蓋の開放機構により、開蓋用突起部１０の前記押し付けられていた力が解除されることで、蝶番５の心棒を回転中心として蓋３が上方へ開きその状態を保持する。
【００２８】
すなわち、図２に示したように、ケース本体１に蓋２が被せてある状態から、ケース本体側ロック部３を図示矢印Ｐ方向へ押すと、ケース本体側ロック部３と蓋側ロック部４からなるロック機構のロック状態が解除され、開蓋用突起部１０によりケース本体１に対して蓋２が上方へ開きその状態を保持する。
【００２９】
この場合、蓋２に取り付けた蓋側ロック部４の裏面側には蓋側嵌合凸部（又は嵌合片）８が設けてあり（蓋２の開口部側に面して設けてある）、ケース本体側ロック部３には、ケース本体側嵌合凹部７が設けてある。従って、蓋２をケース本体１に被せ、更に外側から押すと、ケース本体側ロック部３のケース本体側嵌合凹部７に、蓋側ロック部４の蓋側嵌合凸部８が嵌合し、ロック状態になる。
【００３０】
なお、前記ケース本体側ロック部３と蓋側ロック部４とを嵌合させることで、ケース本体１に被せた蓋２をロックするロック機構は、図８に示した従来例と同じ機構でも良いし、異なった機構を用いても良い。
【００３１】
(3) ：蓋の開閉状態の説明
図３は蓋の開閉状態の説明図であり、Ａ図は蓋側の説明図、Ｂ図はケース本体に蓋を被せる時の動作説明図、Ｃ図は蓋を開ける時の動作説明図である。
【００３２】
図３のＡ図に示したように、ケース本体１に被せる蓋２は、ケース本体１と蝶番５により２箇所で開閉自在に取り付けられている。そして、蓋２の開口部側であって２つの蝶番５の間の位置に開蓋用突起部１０が設けてある。
【００３３】
また、図３のＢ図に示したように、図示Ｆ１方向に押すと、ケース本体１に蓋２を被せてケース本体側ロック部３と蓋側ロック部４を嵌合させることができる。この時、蓋２に取り付けられた開蓋用突起部１０がケース本体１の開口部周辺上に押し付けられた状態でロックができるようにしてある。この状態で、開蓋用突起部１０の位置は、蝶番５よりケース本体１の開口部内に近い位置であり、図示Ｆ２方向に力（蝶番５の心棒を回転中心として回転させる方向の力）が働いている。
【００３４】
そして、図３のＣ図に示したように、図示矢印Ｐ方向に指等で押すと、ケース本体側ロック部３と蓋側ロック部４のロック状態が解除される。この時、開蓋用突起部１０はケース本体側ロック部３と蓋側ロック部４のロック状態を解除した際に、押し付けられていた力が解除されることで、図示矢印Ｆ３方向へ回転する力が働き、蝶番５の心棒を回転中心として蓋２が上方へ開きその状態を保持するように動作する。
【００３５】
(4) ：ケース製作時の説明
前記携帯用小物ケースは、ケース本体１と蓋２を備えると共に、２つの蝶番５を備え、更に、蓋２（又はケース本体１）の開口部周辺上に開蓋用突起部１０を設けるものである。この場合、蝶番５は蝶番本体を２つに分割し、その一方をケース本体１に取り付け、他方を蓋２に取り付ける。
【００３６】
そして、前記蝶番本体の一方をケース本体１と一緒に樹脂の一体成形により製作し、蝶番本体の他方を蓋２と一緒に樹脂の一体成形により製作する。その後、前記一体成形した２つの部品を用い、ケース本体１の蝶番本体と蓋２の蝶番本体とを組み合わせた状態で、その両者を貫通するように、予め製作しておいた金属製の心棒を挿入することで蝶番５を完成させる。
【００３７】
また、この時、ケース本体側ロック部３をケース本体１と一緒に樹脂の一体成形により製作し、蓋側ロック部４を蓋２と一緒に樹脂の一体成形により製作し、前記のように、一体成形した２つの部品を蝶番５により結合させて製品が完成する。
【００３８】
§２：開蓋用突起部の変形例の説明
図４は開蓋用突起部の変形例であり、Ａ図は変形例１、Ｂ図は変形例２、Ｃ図は変形例３、Ｄ図は変形例４、Ｅ図は変形例５を示す。前記開蓋用突起部１０は図４のように変形可能である。
【００３９】
ａ：変形例１は、蓋２の開口部に開蓋用突起部１０を設け、その外形を球状、又は円形状とした変形例である。
【００４０】
ｂ：変形例２は、蓋２の開口部に開蓋用突起部１０を設け、その外形を角型形状とした変形例である。
【００４１】
ｃ：変形例３は、蓋２の開口部に開蓋用突起部１０を設け、その外形を三角形状とした変形例である。
【００４２】
ｄ：変形例４は、蓋２の開口部に開蓋用突起部１０を設け、その外形を球状、又は円形状とし、２つ並べて設けた変形例である。
【００４３】
ｅ：変形例５は、ケース本体１の開口部周辺上に開蓋用突起部１０を設け、その外形を前記例１乃至例４のいずれかとした変形例である。
【００４４】
なお、本考案では、前記以外の任意の外形を有する変形例でも適用可能である。
【００４５】
§３：外観の変形例の説明
図５は外観の変形例の説明図であり、Ａ図は変形例１、Ｂ図は変形例２を示す。ケース本体１及び蓋２の外観は図５のように変形可能である。
【００４６】
ａ：変形例１は、図５のＡ図に示したように、ケース全体として円筒形にした変形例である。
【００４７】
ｂ：変形例２は、図５のＢ図に示したように、ケース全体として、角部を丸めた角型形状（又は、楕円に近い形状）にした変形例である。
【００４８】
§４：その他の説明
(1) ：前記ケース本体１及び蓋２の色は、白、赤、青、黄、透明、不透明も含めて任意の色で構成可能である。また、前記ケース本体１及び蓋２の全体を同一の色にしても良く、ケース本体１と蓋２とを別の色で製作しても良い。
【００４９】
(2) ：開蓋用突起部１０は樹脂（例えば、ＡＢＳ樹脂）で製作するが、この場合、開蓋用突起部１０とケース本体１、蓋２、蝶番５等を樹脂の一体成形により同時に製作する方が製作が容易になり安価になる。
【００５０】
(3) ：本考案の携帯用小物ケースは、各種携帯用小物（薬、筆記具、文房具、旅行用歯磨きセット、旅行用化粧品／化粧道具等）を入れて携帯するための携帯用小物ケース、例えば、薬入れ、筆記具入れ、文房具入れ、旅行用歯磨きセット入れ、旅行用化粧品／化粧道具入れ等に利用可能である。
【図面の簡単な説明】
【００５１】
【図１】実施の形態における携帯用小物ケースの説明図であり、Ａ図は表側の斜視図、Ｂ図は裏側の斜視図である。
【図２】実施の形態における蓋を開けた状態を示す図である。
【図３】実施の形態における蓋の開閉状態の説明図であり、Ａ図は蓋側の説明図、Ｂ図はケース本体に蓋を被せる時の動作説明図、Ｃ図は蓋を開ける時の動作説明図である。
【００５２】
【図４】実施の形態における開蓋用突起部の変形例であり、Ａ図は変形例１、Ｂ図は変形例２、Ｃ図は変形例３、Ｄ図は変形例４、Ｅ図は変形例５である。
【図５】実施の形態における外観の変形例の説明図であり、Ａ図は変形例１、Ｂ図は変形例２である。
【図６】従来例の説明図（その１）であり、Ａ図は表面図、Ｂ図は裏面図である。
【図７】従来例の説明図（その２）である。
【図８】従来例の説明図（その３）であり、Ａ図はケース本体と蓋のロック機構の説明図、Ｂ図は蓋側ロック部（裏側）の平面図、Ｃ図はケース本体と蓋のロック部の断面図である。
【符号の説明】
【００５３】
１  ケース本体
２  蓋
３  ケース本体側ロック部
４  蓋側ロック部
５  蝶番
６  コイルスプリング
７  ケース本体側嵌合凹部
８  蓋側嵌合凸部
９  凸条部
１０  開蓋用突起部
【図１】
0003101595.tif 000003
【図２】
0003101595.tif 000004
【図３】
0003101595.tif 000005
【図４】
0003101595.tif 000006
【図５】
0003101595.tif 000007
【図６】
0003101595.tif 000008
【図７】
0003101595.tif 000009
【図８】
0003101595.tif 000010